(57)【要約】【課題】複数の業務が関与する墓石等の文字の加工依頼システムにおいて、各業務による支払の簡便化、確実な料金徴収、加工受注の増加等を達成するシステムを提供することである。【解決手段】文字列およびフォントを指定して加工を依頼する多数のユーザごとのユーザシステムと、前記ユーザの要望に従って加工を行う加工センターに設置された複数の加工センタシステムと、前記ユーザに文字列の使用を許諾する文字使用許諾者に設置されるサーバシステムと、前記ユーザに代わって料金を文字使用許諾者に支払う複数の代理店ごとに設置された代理店システムとをネット上で接続した加工依頼システムであって、前記ユーザシステムには、料金を算出する価格計算プログラムが記憶され、前記サーバシステムには、ユーザの金券の残高および代理店の金券の残高が記憶され、前記加工センタシステムにはユーザによるフォント等の指定が記憶される加工依頼システム。【選択図】  図１
2005050014.tif 000002
【特許請求の範囲】
【請求項１】
文字列およびフォントを指定して対象物への加工ないし印字を依頼する多数のユーザごとに設置されたユーザシステムと、前記ユーザの要望に従って加工装置により対象物への加工ないし印字を行うと共に加工代金を受け取る加工センターに設置された複数の加工センタシステムと、前記ユーザに文字列の使用を許諾する文字使用許諾者に設置されたサーバシステムと、前記ユーザに代わって文字使用料金および加工料金を文字使用許諾者に支払うと共に営業費を受け取る複数の代理店ごとに設置された代理店システムとをネット上で接続した加工依頼システムであって、
前記ユーザシステムおよび／またはサーバシステムには、指定した文字列およびフォントに従って文字使用料金および加工料金を算出する価格計算プログラムが記憶され、
少なくとも前記サーバシステムには、ユーザごとに金券化したユーザ金券購入額と、該ユーザ金券購入額から文字使用料金および加工料金を減算したユーザ残高とを記憶するユーザ残高記憶部が設けられ、
少なくとも前記サーバシステムには、代理店ごとに金券化した代理店金券購入額と、該代理店金券購入額からユーザ金券購入額を減算した代理店残高とを記憶する代理店残高記憶部が設けられ、
前記代理店システムおよび／またはサーバシステムには、代理店ごとのユーザ金券購入額の累計を記憶するユーザ累計記憶部が設けられ、
少なくとも前記サーバシステムには、代理店ごとの代理店金券購入額の累計を記憶する代理店金券購入累計記憶部が設けられ、
前記ユーザシステムから金券購入額を指定すると、当該金券購入額が前記ユーザ残高記憶部のユーザ残高に加算され、当該金券購入額が前記代理店残高記憶部の代理店残高から減算されて、各々、残高が更新され、
前記ユーザシステムから文字列およびフォントが指定されると、前記価格計算プログラムに従って、文字使用料金および加工料金が算出され、
当該指定された内容の加工が依頼されると、当該依頼された内容の文字使用料金および加工料金が前記ユーザ残高記憶部のユーザ残高から減算されて、残高が更新され、
前記ユーザの文字およびフォントの指定により前記加工センタシステムに前記加工依頼が記憶され、
前記ユーザ金券購入額を前記ユーザが前記代理店に支払い、
前記加工料金を前記文字使用許諾者が前記加工センタに支払う加工依頼システム。
【請求項２】
請求項１において、
前記代理店システムから金券購入額を指定すると、当該金券購入額が前記代理店残高記憶部の代理店残高に加算されて、残高が更新され、
前記代理店金券購入額を所定の率で割り引いた額を前記代理店が前記文字使用許諾者に支払う加工依頼システム。
【請求項３】
請求項１もしくは２において、
前記加工センタが行なう加工がゴム切りである加工依頼システム。
【請求項４】
請求項１、２もしくは３において、
前記ユーザシステムから文字およびフォントを指定する際に、加工を行なう加工センタを選択し、
当該選択された加工センタシステムに前記加工依頼が記憶される加工依頼システム。
【発明の詳細な説明】
【０００１】
【発明の属する技術分野】
本発明は，墓石等の文字の加工依頼システムに関するものである。
【０００２】
【従来の技術】
一般に、墓石に墓標を刻む業務の手順は次のとおりである。
（１）ゴム板から墓標文字を切り取る。
（２）文字を切り取られたゴム板を墓石の表面に貼り付け，周知のサンドブラスト加工により文字を墓石に刻み込む。
上記（１）の作業に用いられるゴム切り装置は、ゴム切りプロッタと呼ばれ、文字図形データを与えると、該文字図形の輪郭に沿ってゴム切りカッタを移動させ、ゴム切りを行なうもので周知である。
【０００３】
ところで前記墓標文字は特殊なもので、それ自体著作権の対象になっているものもある。上記（２）の墓標を彫る作業は石材業者の業務であるが、石材業者は一般的に前記墓標文字を開発しないので、文字使用許諾者である外部の文字レンタルサービス（以下略してＣＬＳという）から当該特殊な文字をレンタルして使用する。当該文字を使用する際は、石材業者は、ＣＬＳに所定の文字使用料金を支払う。前記使用料金の支払は、前記ＣＬＳの代理店を通じて行なうことが多く、石材業者は代理店に手数料を支払う。前記ゴム切りの加工料金および文字使用料金の算出については、下記特許文献１に料金を算出するプログラムが記載されている。
【０００４】
【特許文献１】
特開２００３−１５０８２７号公報
【０００５】
ところで、前記ゴム板から文字を切り取るゴム切りプロッタは、非常に高価であり、小規模の石材業者はこのプロッタを購入することができない。かかる場合には、外部の加工センタにゴム板の加工を依頼し、石材業者は加工センタに加工料金を支払う。
【０００６】
【発明が解決しようとする課題】
かかる事情の下、石材業者からは、前記加工依頼と各料金および手数料の支払が極めて複雑であり、これらを簡便に行なうことができないかという要望がある。代理店側からも、同様の要望がある。
【０００７】
一方、前記加工センタは、自社で使用するゴム板の加工だけでなく、外部の石材業者からの依頼に対してゴム板を加工して当該外部の石材業者に送付することを業務とするものである。かかる加工センタ側からは、所有するプロッタの稼働率を上げるためにゴム板加工の受注を増やしたいという要望がある。
また、ＣＬＳ側としては、多数の石材業者から、代理店を通じて、文字使用料金を着実に徴収したいという要望がある。
本発明の目的は、前記各業務からの要望を充足するシステムを提供することである。
【０００８】
【課題を解決するための手段】
前記目的を達成するために、本発明は、文字列およびフォントを指定して対象物への加工ないし印字を依頼する多数のユーザごとに設置されたユーザシステムと、前記ユーザの要望に従って対象物への加工ないし印字を行うと共に加工代金を受け取る加工センターに設置された複数の加工センタシステムと、前記ユーザに文字列の使用を許諾する文字使用許諾者に設置されたサーバシステムと、前記ユーザに代わって文字使用料金および加工料金を文字使用許諾者に支払うと共に営業費を受け取る複数の代理店ごとに設置された代理店システムとをネット上で接続して加工依頼システムを構成する。
前記ユーザシステムおよび／またはサーバシステムには、指定した文字列およびフォントに従って文字使用料金および加工料金を算出する価格計算プログラムが記憶される。
【０００９】
前記サーバシステムには、ユーザごとに金券化したユーザ金券購入額と、該ユーザ金券購入額から文字使用料金および加工料金を減算したユーザ残高とを記憶するユーザ残高記憶部が設けられる。少なくとも前記サーバシステムには、代理店ごとに金券化した代理店金券購入額と、該代理店金券購入額からユーザ金券購入額を減算した代理店残高とを記憶する代理店残高記憶部が設けられる。さらに、前記代理店システムおよび／またはサーバシステムには、代理店ごとのユーザ金券購入額の累計を記憶するユーザ累計記憶部が設けられる。前記サーバシステムには、代理店ごとの代理店金券購入額の累計を記憶する代理店金券購入累計記憶部が設けられる。
【００１０】
本加工依頼システムを使用して、前記ユーザシステムから金券購入額を指定すると、当該金券購入額が前記ユーザ残高記憶部のユーザ残高に加算されて、残高が更新されると共に、当該金券購入額が前記代理店残高記憶部の代理店残高から減算されて、残高が更新される。前記ユーザシステムから文字列およびフォントが指定されると、前記価格計算プログラムに従って、文字使用料金および加工料金が算出され、当該指定された内容の加工が依頼されると、当該依頼された内容の文字使用料金および加工料金が前記ユーザ残高記憶部のユーザ残高から減算されて、残高が更新される。前記ユーザの文字およびフォントの指定により前記加工センタシステムに前記加工依頼が記憶される。
前記ユーザ金券購入額を前記ユーザが前記代理店に支払い、前記加工料金を前記文字使用許諾者が前記加工センタに支払う。
【００１１】
本加工依頼システムでは、加工センタの加工装置を各ユーザが利用でき、加工装置の稼働率が上がると共に、各ユーザは加工装置を所有していなくても所定の加工品を得ることができる。しかも、加工センタおよびユーザは文字の著作権を有していなくても、所定の文字を文字使用許諾者からレンタルで使用することができる。一方、多数のユーザーのレンタル使用により、前記文字の使用率が上がり、文字使用許諾者の特殊な文字を有効活用することができる。
また、ユーザは、予め代理店から金券を購入しておけば、文字使用料金および加工料金を文字使用許諾者や加工センタに個別に支払う必要はなくなる。すなわち、支払手続としては金券購入代金を代理店に支払うだけでよい。
【００１２】
さらに、本加工依頼システムは、代理店が前記代理店システムから金券購入額を指定すると、当該金券購入額が前記代理店残高記憶部の代理店残高に加算されて、残高が更新され、前記代理店金券購入額を所定の率で割り引いた額を前記代理店が前記文字使用許諾者に支払う加工依頼システムにすることができる。この場合、代理店は、予め文字使用許諾者から金券を購入し、これをユーザに予め販売すれば、前記ユーザの加工依頼の度に前記ユーザに代わって各料金を個別に支払う必要がない。すなわち、文字使用許諾者への支払手続としては金券購入代金を代理店に支払うだけでよい。
【００１３】
前記代理店は、金券購入代金（割引）とユーザへの金券販売代金（定価）の差額を営業費（手数料）とすることができ、別途手数料をユーザから徴収する必要がない。
また、各ユーザは代理店を介して文字使用許諾者から予め金券を購入することになるので、文字使用許諾者は加工依頼後に文字使用料金を徴収する必要がない。
【００１４】
さらに、本加工依頼システムは、ユーザが前記ユーザシステムから文字およびフォントを指定する際に加工を行なう加工センタを選択し、当該選択された加工センタシステムに前記加工依頼が記憶されるようにすることができる。この場合、ユーザが加工センタを選択するので、各加工センタはユーザに対する営業活動の必要がなくなる。
さらに、加工センタが行なう加工をゴム切り加工であるとすれば、本システムは、墓石に墓標を刻設する石材業者が使用できる。
【００１５】
なお、本発明は、前記墓標の刻設業務だけでなく、例えば、看板、広告および横断幕のような印刷物を作成する業務にも用いることができる。したがって、石材業者だけでなく、印刷業者、デザイン事務所、学校等が本発明を利用することができる。
【００１６】
【発明の実施の形態】
以下、本発明の一実施形態を図面にしたがって説明する。
まず、本発明の適用の前提として本加工依頼システムが使われる状況を説明する。ＣＬＳには複数の代理店が登録されており、各代理店にはさらに複数のユーザが登録されている。また、ＣＬＳには複数の加工センタ（ゴム切り業者）が登録されている。文字をレンタルした場合、各ユーザは、特定の代理店を介して、ＣＬＳに文字使用料金を支払うことになる。例えば、図５のユーザ群Ｕ１  に属するユーザは代理店Ａ１  を介してＣＬＳに料金を支払い、さらに代理店Ａ１  に手数料を支払う。
【００１７】
ユーザは、一般に文字使用許諾者であるＣＬＳから著作権がある特殊な文字をレンタルして使用する。この際、ユーザは文字のフォント、ピッチ、大きさ、形状などを指定して、これを表示器に表示させてレンタルする文字列を確認できるようになっている。一般に、前記文字列は大きすぎて、そのまま画面表示できないので、相似形として縮小表示される。
【００１８】
一方、ユーザは文字加工のためのゴム切り加工装置を所有しておらず、ユーザはＣＬＳから文字のレンタルを受けると共に、前記加工センタにゴム切り加工を依頼する。加工依頼を行なうと、加工センタには、前記指定された文字の情報がＣＬＳを介してそのまま送られる。すなわち、加工センタでは、前記文字情報によって、指定された文字列を表示器に表示させたり、所定の対象物へ加工することができる。
ユーザは、代理店およびＣＬＳを介して、前記加工センタに加工料金を支払い、さらに代理店に手数料を支払う。
【００１９】
前記ＣＬＳに登録された各代理店は、ＣＬＳにより、代理店Ｎｏ．およびパスワードを付与される。同様に、前記代理店に登録された各ユーザは、ＣＬＳにより、ユーザＮｏ．およびパスワードが付与される。各代理店および各ユーザは、前記付与されたＮｏ．およびパスワードを入力することによって、後述するサーバシステム１にアクセス可能になる。
【００２０】
本加工依頼システムにおいては、ユーザからＣＬＳや代理店に対する前記各料金の清算方法として、金券が用いられる。当該金券は、前記サーバシステム１上の特定の記憶部に金券の金額が記憶されてなり、加工を依頼して金券を使用する度に前記記憶された金額が減算される。また、本実施形態においては、金券使用後（減算後）の残額を換金することができないように設定しているが、これを換金することができるようにして、いわゆる予納のようにしてもよい。
【００２１】
つぎに、本発明の加工依頼システムの概要について、説明する。
本加工依頼システムは、図１に示すように、ＣＬＳのサーバシステム１と、ユーザごとのユーザシステム２と、代理店ごとの代理店システム３と、ゴム切り加工を行なう加工センタの加工センタシステム４とを備える。各システムは図示しない通信手段を介してインターネットＩＮに接続されている。
以下前記各システムについて説明する。
【００２２】
サーバシステム１：
サーバシステム１は、図２に示すように、マイコン１０、入力手段１２および表示器１３を備え、前記マイコン１０は、ＣＰＵおよびメモリ１１を備える。
メモリ１１は、代理店ごとの代理店記憶部１４および加工センタごとの加工センタ記憶部７０を備えている。前記代理店記憶部１４は、当該代理店の情報を記憶する代理店残高記憶部５０と、当該代理店に登録されたユーザの情報を記憶するユーザごとのユーザ残高記憶部６０とを備える。
【００２３】
前記代理店残高記憶部５０には、代理店Ｎｏ．５４、代理店ごとに設定されたパスワード５５、代理店金券購入累計５６、ユーザ累計５７および代理店残高５８の記憶エリアが設けられ、これらの情報が互いに関連付けられて記憶されている。なお、代理店金券購入累計５６は、代理店がＣＬＳから購入した金券の累計額であり、さらに代理店の金券購入履歴が含まれる。ユーザ累計５７は、各代理店に登録されている各ユーザが当該代理店から購入した金券の累計額であり、次に説明する各ユーザのユーザ残高記憶部６０のユーザ金券購入累計を合計して算出される。代理店残高５８は、各代理店がユーザに販売できる金券の総額であり、前記代理店金券購入累計５６から前記ユーザ累計を差し引いて算出される。
【００２４】
前記代理店残高記憶部５０は、代理店システム３およびサーバシステム１からのみアクセスできるように設定されている。なお、代理店残高５８等は、セキュリティ上の問題から、サーバシステム１のみに記憶されているが、これを代理店システム３にも記憶させてもよい。
【００２５】
前記ユーザ残高記憶部６０には、ユーザＮｏ．６４  、ユーザごとに設定されたパスワード６５、ユーザ金券購入累計６６、ユーザ利用累計６７およびユーザ残高６８の記憶エリアが設けられ、これらの情報が互いに関連付けられて記憶されている。ユーザ金券購入累計６６は、ユーザが代理店から購入した金券の累計額であり、さらにユーザの金券購入履歴が含まれる。ユーザ利用累計６７はユーザが文字使用料および加工料として支払った利用額の累計であり、さらにユーザの利用履歴、すなわち、加工依頼の発注履歴が含まれる。ユーザ残高６８は、各ユーザが各料金の支払のために使用できる総額であり、前記ユーザ金券購入累計６６から前記ユーザ累計６７を差し引いて算出される。
【００２６】
前記ユーザ残高記憶部６０には、当該ユーザのユーザシステム２およびサーバシステム１からのみアクセスすることができるように設定されている。なお、ユーザ残高等は、セキュリティ上の問題から、サーバシステムのみに記憶されているが、これをユーザシステム２にも記憶させてもよい。
なお前記各累計５６，６６，６７に記憶されている購入履歴又は利用履歴は、定期的に、例えば棚卸し時や清算時にリセットできるようにしてもよい。
【００２７】
前記加工センタ記憶部７０には、加工センタＮｏ．７１および加工料金累計７２が記憶されている。加工料金累計６７は、加工センタが受注した加工料金の累計である。前記加工料金累計７２は、ＣＬＳから加工センタに加工料金が支払われる度に、ＣＬＳがサーバシステムを操作して、当該支払われた金額を減算して更新記憶させる。
【００２８】
ユーザシステム２：
ユーザシステム２は、図３（ａ）に示すように、マイコン２０、入力手段２２および表示器２３を備え、前記マイコン２０は、ＣＰＵおよびメモリ２１を備える。
前記メモリ２１は、ユーザＮｏ．２４、ユーザが利用する代理店Ｎｏ．２５、フォント辞書２６および価格計算プログラム２７が記憶されている。ユーザは、前記辞書２６を使用することにより、前記表示器２３にユーザが指定した文字列およびフォントが表示させることができる。
【００２９】
前記価格計算プログラム２７は、ユーザが指定した文字列、フォント、文字のサイズ、ゴムの厚さ等の情報に基づいて文字使用料金および加工料金を算出するためのプログラムであり、例えば、特開２００３−１５０８２７号に記載の文字使用料算出プログラムおよびゴム切り料金算出プログラムを用いることができる。前記辞書およびプログラムは、内蔵のメモリに記憶させてもよいし、外部に接続したＣＤ−ＲＯＭ等の記憶媒体に記憶させてもよい。
【００３０】
代理店システム３：
代理店システムは、図３（ｂ）に示すように、マイコン３０、入力手段３２および表示器３３を備え、前記マイコン３０は、ＣＰＵおよびメモリ３１を備える。前記メモリ３１には、代理店Ｎｏ．３４が記憶されている。
【００３１】
加工センタシステム４：
加工センタシステムは、図３（ｃ）に示すように、マイコン４０、入力手段４２、表示器４３、ゴム切り装置ドライバ４６およびゴム切り装置４７を備える。前記メモリ４１には、加工センタＮｏ．４４およびユーザが指定したフォントおよび文字列等の指定情報４５が記憶される。表示器４３には、当該指定情報にもとづいてユーザの指定する文字列を表示することができる。
【００３２】
次に本システムを利用した加工依頼の流れを図４にしたがって説明する。
本システムでは、代理店は、予めシステム上でＣＬＳから金券を購入する金券購入処理を行なう。金券を購入するには、まず、前記代理店システム３を操作して、代理店Ｎｏ．３４およびパスワードを送信し、パスワード認証等を経てサーバシステム１にアクセスする。するとサーバシステム１から図２の前記代理店残高記憶部５０の代理店残高５８が代理店システム３に送信され、かかる情報が代理店システム３の表示器３３に表示される。代理店は、前記代理店残高５８の表示により残高を確認する（Ｄ１）。次にステップＤ２に進む。
【００３３】
ステップＤ２では、前記確認により、十分な残高がある場合は、新たに金券を購入する必要はなく、金券購入処理を終了して、ステップＵ１に進む。一方、残高が少なくなっている場合は、代理店は、前記代理店システム３の入力手段３３を操作して、購入する金券の額を入力してサーバシステム１に送信し、サーバシステム１側のステップＳ１に進む。
なお、代理店の社員毎の社員Ｎｏ．および社員パスワードを設けることにより、社員毎にサーバシステム１へのアクセス制限を設けてもよい。これにより、例えば、代理店の特定の社員のみが、金券購入の操作をするようにできる。
【００３４】
ステップＳ１では、前記代理店システム３から送信された金券購入額に基づき、残高処理を行なう。すなわち、図２の代理店残高記憶部５０の代理店金券購入累計５６に前記金券購入額が加算され、更新記憶されると共に、加算された代理店金券購入累計５６からユーザ累計５７を差し引くことにより新たな代理店残高が算出される。代理店残高５８には当該新たな残高が更新記憶される。さらに、更新記憶された代理店残高５８は代理店システム３に送信され、代理店に残高が更新されたことを知らせる。以上で、代理店による金券購入処理は終了する。
【００３５】
また、代理店の前回の金券購入の代金が未払いの場合は新たに金券を購入できないようにサーバ側で設定することができる。これによりＣＬＳが多額の未収金を抱えることがなくなる。
前記金券購入の代金は、銀行振込等の方法により、代理店からＣＬＳに送金される（図１の矢印Ｍ１）。当該代金は、所定の割引率で割り引かれて設定されている。例えば、割引率が１０％に設定されている場合には、代理店が５万円の金券を購入しても、その代金は４万５千円となる。
【００３６】
続いて、ユーザが予めシステム上でＣＬＳから金券を購入する金券購入処理を行なう。ユーザは、まず、前記ユーザシステム２を操作して、ユーザＮｏ．２４およびパスワードを送信し、パスワード認証等を経てサーバシステム１にアクセスする。するとサーバシステム１から図２のユーザ残高記憶部６０のユーザ残高６８がユーザシステム２に送信され、かかる情報がユーザシステム２の表示器２３に表示される。ユーザは、前記ユーザ残高６８の表示により残高を確認する（Ｕ１）。次にステップＵ２に進む。
【００３７】
ステップＵ２では、前記確認により、十分な残高がある場合は、新たに金券を購入する必要はなく、金券購入処理を終了して、ステップＵ３に進む。一方、残高が少なくなっている場合は、ユーザは、前記ユーザシステム２の入力手段２３を操作して、購入する金券の額を入力してサーバシステム１に送信し、サーバシステム１側のステップＳ２に進む。
【００３８】
ステップＳ２では、前記ユーザシステム３から送信された金券購入額に基づいて、残高処理を行なう。すなわち、図２のユーザ残高記憶部６０のユーザ金券購入累計６６に前記金券購入額が加算されて、更新記憶されると共に、加算されたユーザ金券購入累計６６からユーザ利用累計６７を差し引くことにより新たなユーザ残高６８が算出され、更新記憶される。
一方、前記加算されたユーザ金券購入累計６６に基づいて、代理店残高記憶部５０のユーザ累計５７も更新記憶される。さらに、当該更新されたユーザ累計５７を前記代理店金券購入累計５６から差し引くことにより、新たな代理店残高５８が算出され、更新記憶される。
【００３９】
なお、ユーザが代理店残高５８を越える額の金券購入の要求した場合は、ユーザは当該額の金券を購入できないよう設定されている。すなわち、ユーザは代理店残高の範囲でのみ、新たな金券を購入できる。
また、ユーザの前回の金券購入の代金が未払いの場合は新たに金券を購入できないように代理店サーバ側で設定することができる。これにより代理店が多額の未収金を抱えることがなくなる。
【００４０】
更新記憶された前記各残高５８，６８は、それぞれ、ユーザシステム２および代理店システム３に送信され、ユーザおよび代理店に残高が更新されたことを知らせる。以上で、ユーザによる金券購入処理は終了し、ステップＵ３に進む。
【００４１】
なお、前記金券購入の代金は、銀行振込等の方法により、代理店からＣＬＳに送金される（図１の矢印Ｍ２）。前記代理店の金券購入の場合とは異なり、ユーザの金券購入代金には割引率は設定されていない。このようにユーザが代理店に支払う金券購入代金が、代理店がＣＬＳに支払う金券購入代金よりも高く設定されていることで、代理店はその差額の分だけ利益を得る。この利益が代理店の手数料になる。
【００４２】
ステップＵ３では、ユーザは、文字指定を行なう。すなわち、ユーザは、ユーザシステム２の入力手段２３を操作して、文字列、フォント、文字の大きさ、文字ピッチ、選択する加工センタおよび加工するゴム板の厚さ等の加工に必要な指定情報を入力する。ここで、前記指定情報に基づく文字列が表示器２３に表示される。文字の大きさが表示画面より大きい場合は相似形で表示される。当該表示により、ユーザは指定情報を確認し、ステップＵ４に進む。
【００４３】
ステップＵ４では、前記入力された情報に基づいて、前記ユーザシステムに記憶された価格計算プログラム２７が文字使用料金および加工料金を算出する。ここで、当該算出された各料金は、前記表示器に表示される（Ｕ５）。
次のステップＵ６では、前記入力された指定情報をサーバシステムに送信し、サーバシステム側（図１の矢印Ｌ１）のステップＳ３に進む。
【００４４】
ステップＳ３では、前記送信された指定情報の文字使用料金および加工料金に基づいて、ユーザの課金処理を行なう。すなわち、前記各料金が前記ユーザ残高記憶部６０のユーザ利用累計６７に加算されて、更新記憶される。さらに、当該更新記憶されたユーザ利用累計６７を前記ユーザ金券購入累計６６から差し引くことにより、新たなユーザ残高６８が算出され、更新記憶される。
更新記憶された前記ユーザ残高６８は、ユーザシステム２に送信され、ユーザにユーザ残高６８が更新されたことを知らせ、ステップＳ４に進む。
【００４５】
ステップＳ４では、前記ユーザシステム２から送信された指定情報を、選択された加工センタの加工センタシステム４に送信し（図１の矢印Ｌ２）、加工センタ側のステップＫ１に進む。
【００４６】
ステップＫ１では、加工センタシステム４は、前記サーバシステム１から送信された情報を受付けた後、当該情報をメモリ４１の指定情報４５に記憶すると共に、表示器４３に当該情報を表示する。当該表示により、加工センタが前記情報を確認した後、ステップＫ２に進む。
【００４７】
ステップＫ２では、加工センタは、入力手段４２を操作して、前記確認した情報に基づいて加工済ゴム板の納期を入力する。続いて、ステップＫ３に進む。
【００４８】
ステップＫ３では、前記加工センタの受付けた情報と入力した納期情報を、受付情報として、サーバシステム１に送信し、加工センタに加工依頼を受け付けたことを知らせる。続いて、サーバシステム側のステップＳ５に進む。
前記受付情報の送信後、加工センタは、前記記憶された指定情報４５に基づいて、ゴム切り装置４７を出力させ、加工処理を行なう。すなわち、指定されたフォントの文字列を、指定されたゴム板から切り取る加工を行ない、当該加工済みのゴム板をユーザに送付する。
【００４９】
ステップＳ５では、サーバシステムは加工センタシステム４から送信された受付情報を、ユーザシステム２に転送して、前記加工センタが加工依頼を受け付けたことを知らせ、ステップＳ６に進む。
【００５０】
ステップＳ６では、図２の前記加工センタ記憶部３０の加工料金累計７２が更新される。すなわち、加工料金累計７２に前記加工料金を加算して更新記憶する。ＣＬＳは、前記加工料金を、銀行振込等の方法で加工センタに支払う（図１の矢印Ｍ３）。当該支払後、ＣＬＳはサーバシステムを操作して加工料金累計７２から当該支払額を減算して更新記憶させる。
【００５１】
なお、前記実施形態の説明においては、図５のユーザ群Ｕ１  のように、ＣＬＳと代理店との間に１つの代理店が介在している場合を想定しているが、同図のユーザ群Ｕ１  、Ｕ３  のように複数の代理店（親代理店、子代理店、孫代理店等）が介在する場合でも本加工依頼システムを適用できる。
例えば、ユーザ群Ｕ１  の場合には、介在する親代理店Ａ１  はＣＬＳから、子代理店Ｂ２  は親代理店Ａ１  から、孫代理店Ｃ２  は子代理店Ｂ２  から金券を購入するが、各金券の購入段階での割引率に差を設けることにより、各代理店が営業費をを徴収することができる。
【００５２】
なお、本システムの加工センタとしては、前記ゴム切り業者だけでなく、看板、広告および横断幕のような印刷物を作成する印刷業者とすることができる。この場合は、デザイン事務所、学校、印刷業者などがユーザとして文字の加工を依頼する。加工センタシステム４には、ゴム切り装置４７および同ドライバ４６の代わりに、プリンタを設けることによって、加工センタはユーザの指定したフォントの文字列を印刷する。
【００５３】
また、加工センタは、更にユーザシステムを備えることもでき、加工センタがさらに他の加工センタを選択して加工依頼を行なうこともできる。
【００５４】
【発明の効果】
以上説明したように、本加工依頼システムでは、加工センタの加工装置を各ユーザが利用でき、加工装置の稼働率が上がると共に、各ユーザは加工装置を所有していなくても所定の加工品を得ることができる。しかも、加工センタおよびユーザは文字の著作権を有していなくても、所定の文字を文字使用許諾者からレンタルで使用することができる。一方、多数のユーザーのレンタル使用により、前記文字の使用率が上がり、文字使用許諾者の特殊な文字を有効活用することができる。
【００５５】
特に、ユーザ、加工センタおよび代理店の代金の支払い、負担先が、各々、一本化されることで、収支の決済等が容易になるので、加工装置が利用し易くなるから、同装置の稼働率の著しい向上を図ることができる。
【図面の簡単な説明】
【図１】本発明の一実施形態を示す加工依頼システムの概略構成図である。
【図２】サーバシステムの概略構成図である。
【図３】（ａ）はユーザシステム、（ｂ）は代理店システム、（ｃ）は加工センタシステムの概略構成である。
【図４】加工依頼システムのメインフローを示すフローチャートである。
【図５】ＣＬＳ、代理店およびユーザの関係の一例を示す図である。
【符号の説明】
１：サーバシステム
２：ユーザシステム
３：代理店システム
４：加工センタシステム
５０：代理店残高記憶部
５６：代理店金券購入累計
５７：ユーザ累計
６０：ユーザ残高記憶部
６６：ユーザ金券購入累計
【図１】
2005050014.tif 000003
【図２】
2005050014.tif 000004
【図３】
2005050014.tif 000005
【図４】
2005050014.tif 000006
【図５】
2005050014.tif 000007